(57)【要約】【課題】薄型化、高輝度化および軽量化が可能な面光源装置の提供を目的とする。【解決手段】面光源装置は、主面を有する保持部と、保持部の主面に保持される光源と、光軸を有し、保持部の主面に保持され、光源から出射される光の配光を変更する配光制御素子と、を含む。配光制御素子は、光源から出射される光が入射する光入射面と、光入射面から入射する光が全反射する全反射面と、全反射面にて全反射する光を光軸から離れる方向に導光する導光部と、全反射面にて全反射する光が到達する光出射面と、を含む。全反射面は、光入射面よりも保持部の主面から離れて位置する凸面であって、光軸から離れるにつれて主面との距離が離れ、かつ、光軸に近づくにつれて傾きが大きくなる凸面を含む。導光部は、全反射面の一端よりも主面側に位置し、かつ、光軸から離れる方向に突出する形状を含む。光出射面は、全反射面の一端と導光部の基端とを接続する面である。【選択図】図１
2019169420.tif 000002
【特許請求の範囲】
【請求項１】
主面を有する保持部と、
前記保持部の前記主面に保持される少なくとも１つの光源と、
光軸を有し、前記少なくとも１つの光源から出射される光が入射する光入射面と、前記光入射面から入射する前記光の一部が全反射する全反射面と、前記全反射面にて全反射する前記光の一部を前記光軸から離れる方向に導光する導光部と、前記全反射面にて全反射する光の一部が到達する光出射面と、を含み、前記保持部の前記主面に保持されて配置され、前記少なくとも１つの光源から出射される前記光の配光を変更する配光制御素子と、を備え、
前記全反射面は、前記光入射面よりも前記保持部の前記主面から離れて位置する凸面であって、前記光軸から離れるにつれて前記主面との距離が離れ、かつ、前記光軸に近づくにつれて傾きが大きくなる前記凸面を含み、
前記導光部は、前記光軸に対して遠い方に位置する前記全反射面の一端よりも前記主面側に位置し、かつ、前記光軸から離れる方向に突出する形状を含み、
前記光出射面は、前記全反射面の前記一端と前記導光部の基端とを接続する面である、面光源装置。
【請求項２】
前記配光制御素子は、前記光入射面が前記少なくとも１つの光源を覆うように前記保持部の前記主面に配置され、
前記光入射面は、前記少なくとも１つの光源が配置された前記主面との間に空間が形成されるよう、断面視において、凹形状を有する、請求項１に記載の面光源装置。
【請求項３】
前記光入射面の前記凹形状は、矩形である請求項２に記載の面光源装置。
【請求項４】
前記全反射面は、第１の方向に曲率を有し、前記第１の方向に対して垂直である第２の方向に曲率を有さないシリンドリカル面を含む請求項１から請求項３のいずれか一項に記載の面光源装置。
【請求項５】
前記少なくとも１つの光源は、複数の光源を含み、
前記複数の光源の各々は、前記第２の方向に並べて配置される請求項４に記載の面光源装置。
【請求項６】
前記光出射面は、第１の方向に曲率を有し、前記第１の方向に対して垂直である第２の方向に曲率を有さないシリンドリカル面を含み、
前記光入射面の前記凹形状は、前記第２の方向に延在する溝形状を含む請求項２または請求項３に記載の面光源装置。
【請求項７】
前記少なくとも１つの光源は、複数の光源を含み、
前記複数の光源の各々は、前記第２の方向に並べて配置される請求項６に記載の面光源装置。
【請求項８】
前記配光制御素子は、前記光入射面、前記全反射面、前記導光部の外面または前記光出射面に、凹凸形状を含む請求項１から７のいずれか一項に記載の面光源装置。
【請求項９】
前記配光制御素子は、拡散材を含む請求項１から請求項８のいずれか一項に記載の面光源装置。
【請求項１０】
前記配光制御素子は、それぞれが異なる屈折率を有する複数の材料を含む請求項１から請求項９のいずれか一項に記載の面光源装置。
【請求項１１】
前記配光制御素子の上方、かつ、前記配光制御素子の前記光軸を含む領域に、光拡散素子または光反射素子をさらに備える請求項１から請求項１０のいずれか一項に記載の面光源装置。
【請求項１２】
請求項１から請求項１１のいずれか一項に記載の面光源装置と、
前記面光源装置から出射された面状の光を画像光に変換する液晶パネルと、を備える液晶表示装置。
【発明の詳細な説明】
【技術分野】
【０００１】
本発明は、面光源装置および液晶表示装置に関するものである。
【背景技術】
【０００２】
液晶表示装置が備える液晶パネルは、自ら発光しない。このため、液晶表示装置は、液晶パネルを照明する光源として、液晶パネルの裏面側にバックライト装置（面光源装置）を備えている。
【０００３】
バックライト装置の構成として、エッジ型のバックライト装置および直下型のバックライト装置が知られている。エッジ型のバックライト装置は、導光板の側面に配置された光源から光が入射する構成を有する。直下型のバックライト装置は、複数の発光ダイオード（Light Emitting Diode：以下、ＬＥＤという。）が背面側に並べられた構成を有する。
【０００４】
近年、試験放送が開始された４Ｋ８Ｋ放送に対応する液晶表示装置は、従来よりも高い解像度を有するものの、その液晶パネルを透過する光の透過率は低下する。そのため、４Ｋ８Ｋ放送に対応する液晶表示装置には、これまでよりも多くの光量を照明することが可能なバックライトが必要である。しかし、エッジ型のバックライト装置においては、導光板の側面の長さによって設置できる光源の個数に上限がある。そのため、その個数の上限以上に光量を増やすことができない。このような理由から、現行の４Ｋ８Ｋパネルを有する液晶表示装置には、より多く光源を並べることのできる直下型のバックライト装置が用いられることが一般的である。
【０００５】
また、液晶表示装置が大型化されるにあたり、ユーザが感じる威圧感の緩和および設置場所への負荷軽減を目的とした軽量化のため、液晶表示装置全体の厚みは薄型化される傾向にある。ここでいう薄型化とは、バックライト構成部品の厚みが２０ｍｍ以下のものを指す。
【先行技術文献】
【特許文献】
【０００６】
【特許文献１】特開平１１−７０１４号公報
【特許文献２】特開２００６−２８６６０８号公報
【発明の概要】
【発明が解決しようとする課題】
【０００７】
特許文献１には、平板状の導光板の端面に、点光源としてＬＥＤが配置された照明装置が開示されている。その照明装置は、いわゆるエッジ型のバックライト装置である。そのため、上述したように、設置可能な光源の個数が限られる。また、バックライト装置の大きさが大きくなるほど、導光板が大きくなるため、重量が増加する。
【０００８】
特許文献２には、保持基板上に配置された１以上の点光源と、それらの点光源を被覆するシリンドリカルレンズとを有する面状照射光源が開示されている。その面状照射光源は、保持基板に対し垂直方向の凹レンズ機能と水平方向の凸レンズ機能とにより、面状の照射光を得ている。しかし、そのような構成を有する面状照射光源は、レンズ１本あたりの照射範囲が狭い。レンズ１本あたりの照射範囲を拡げるためには、投射距離が必要である。薄型化を実現しながら、大型化された液晶パネルを均一に照射するためには、レンズの本数を増やす必要がり、重量が増加する。
【０００９】
本発明は、以上のような課題を解決するためになされたものであり、薄型化、高輝度化および軽量化が可能な面光源装置の提供を目的とする。
【課題を解決するための手段】
【００１０】
本発明における面光源装置は、主面を有する保持部と、保持部の主面に保持される少なくとも１つの光源と、光軸を有し、少なくとも１つの光源から出射される光が入射する光入射面と、光入射面から入射する光の一部が全反射する全反射面と、全反射面にて全反射する光の一部を光軸から離れる方向に導光する導光部と、全反射面にて全反射する光の一部が到達する光出射面と、を含み、保持部の主面に保持されて配置され、少なくとも１つの光源から出射される光の配光を変更する配光制御素子と、を含む。全反射面は、光入射面よりも保持部の主面から離れて位置する凸面であって、光軸から離れるにつれて主面との距離が離れ、かつ、光軸に近づくにつれて傾きが大きくなる凸面を含む。導光部は、光軸に対して遠い方に位置する全反射面の一端よりも主面側に位置し、かつ、光軸から離れる方向に突出する形状を含む。光出射面は、全反射面の一端と導光部の基端とを接続する面である。
【発明の効果】
【００１１】
本発明によれば、薄型化、高輝度化および軽量化された面光源装置の提供が可能である。
【００１２】
本発明の目的、特徴、局面、および利点は、以下の詳細な説明と添付図面とによって、より明白になる。
【図面の簡単な説明】
【００１３】
【図１】実施の形態１における液晶表示装置および面光源装置の構成を概略的に示す図である。
【図２】実施の形態１における光源および配光制御素子の構成を示す図である。
【図３】実施の形態１における配光制御素子を透過する光線の挙動を示す図である。
【図４】実施の形態１における配光制御素子を透過する光線の挙動を示す図である。
【図５】実施の形態２における面光源装置が有する配光制御素子およびその周辺の構成を示す図である。
【図６】実施の形態３における面光源装置が有する配光制御素子およびその周辺の構成を示す図である。
【発明を実施するための形態】
【００１４】
＜実施の形態１＞
（液晶表示装置および面光源装置の構成）
図１は、実施の形態１における液晶表示装置１００および面光源装置２００の構成を概略的に示す図である。
【００１５】
以下の各実施の形態において、図１に示されるｘｙｚ直交座標系を適宜用いて、各装置の構成および機能を説明する。
【００１６】
以下の説明において、液晶パネル１の短辺方向は、ｘ方向（左右方向）である。液晶パネル１の長辺方向は、ｙ方向（紙面に垂直方向）である。ｘ軸およびｙ軸を含む平面であるｘ−ｙ平面に対し垂直な方向が、ｚ方向（上下方向）である。液晶パネル１の長辺方向が水平にして配置された場合、ｙ方向が水平方向であり、ｘ方向が垂直方向である。
【００１７】
液晶表示装置１００の表示面側から見て、左側が＋ｙ方向であり、右側が−ｙ方向である。「表示面側から見て」とは、＋ｚ方向から−ｚ方向を見ることに対応する。液晶表示装置１００の上側が＋ｘ方向であり、下側が−ｘ方向である。また、液晶表示装置１００が映像を表示する方向は＋ｚ方向であり、その反対方向が−ｚ方向である。＋ｚ方向は、液晶パネル１の表示面１ａ側に対応する。−ｚ方向は、液晶パネル１の裏面１ｂ側に対応する。
【００１８】
実施の形態１における液晶表示装置１００は、液晶パネル１および面光源装置２００を有する。さらに、液晶表示装置１００は、液晶パネル１と面光源装置２００との間に、光学シート２および光学シート３を有する。
【００１９】
液晶パネル１、光学シート２、光学シート３および面光源装置２００は、＋ｚ方向から−ｚ方向に順に配置されている。
【００２０】
液晶パネル１は、透過型の液晶パネルである。液晶パネル１の表示面１ａは、例えば、ｘ−ｙ平面に平行な面である。液晶パネル１の液晶層（図示せず）は、ｘ−ｙ平面に平行な方向に広がる面状の構造を有する。
【００２１】
液晶パネル１の表示面１ａは、通常、矩形形状を有する。表示面１ａの隣接する２辺は、直交している。実施の形態１において、表示面１ａの短辺は、ｘ軸に平行である。また、表示面１ａの長辺は、ｙ軸に平行である。ただし、表示面１ａの形状は、他の形状であってもよい。
【００２２】
光学シート２は、細かな照明むらなどの光学的な影響を抑制する機能を有する。
【００２３】
光学シート３は、拡散板から放射された光を液晶パネル１の表示面１ａの法線方向に向ける機能を有する。
【００２４】
面光源装置２００は、光学シート３および光学シート２を通して、液晶パネル１の裏面１ｂに光を照射する。
【００２５】
液晶パネル１は、面光源装置２００から出射された面状の光を画像光に変換する。「画像光」とは、画像情報を有する光のことである。
【００２６】
面光源装置２００は、配光制御素子６および少なくとも１つの光源７を有する。さらに、実施の形態１において、面光源装置２００は、拡散板４および反射部５を有する。
【００２７】
拡散板４は、反射部５の＋ｚ方向に配置されている。拡散板４は、反射部５の開口部５３を覆うように配置される。つまり、拡散板４は、面光源装置２００の光出射面に配置されている。
【００２８】
拡散板４は、例えば、薄板形状を有する。または、例えば、拡散板４は、シート状であってもよい。または、拡散板４は、基板上に形成された拡散膜を有する構成であってもよい。基板は、例えば、拡散膜を形成するための透明な基板である。つまり、その基板は拡散膜を保持している。
【００２９】
拡散板４は、透過する光を拡散させる。「拡散」とは、拡がり散ることである。つまり、光が散乱することである。拡散板４は、透過する光を散乱させる。
【００３０】
なお、以下の説明で、例えば、「光線は拡散板４に到達する」などの説明をしている。上述のように、一例として、反射部５の開口部５３に拡散板４が配置されている。このため、「光線は拡散板４に到達する」は、「光線は開口部５３に到達する」に言い換えることができる。また、開口部５３または拡散板４は、面光源装置２００の光出射面として機能している。このため、「光線は拡散板４に到達する」は、「光線は面光源装置２００の光出射面に到達する」に言い換えることができる。つまり、拡散板４および反射部５の開口部５３は、面光源装置２００の光出射面の一例として示されている。
【００３１】
反射部５は、底面５１および側面５２を有する。実施の形態１では、反射部５は、１つの底面５１および４つ側面５２を有する。つまり、反射部５は、５つの面を有する。反射部５は、箱形状を有する。
【００３２】
底面５１は、例えば、ｘ−ｙ平面に平行な面である。また、底面５１の形状は、例えば、矩形である。
【００３３】
側面５２は、底面５１の各辺に接続されている。側面５２は、＋ｚ方向に向けて発光領域が広がるように傾斜している。発光領域は、例えば、ｘ−ｙ平面に平行な面における一の領域である。側面５２の反射面における法線は、＋ｚ方向の成分を有する。側面５２の反射面とは、反射部５の内側の面のことである。ただし、側面５２は、＋ｚ方向に向けて発光領域が広がるように傾斜した面に限定されず、ｙ−ｚ平面に平行な面であってもよい。
【００３４】
底面５１が矩形状で、側面５２が＋ｚ方向に向けて発光領域が広がるように傾斜している場合には、４つの側面５２のうち、底面５１のｙ軸に平行な辺に接続された２つの側面５２は、＋ｚ方向に向けて互いの間隔が広がるように傾斜している。つまり、−ｘ方向の側面５２は、ｙ−ｚ平面に対して、−ｙ方向から見て、底面５１との接続部分を中心に、反時計回りに回転している。また、＋ｘ方向の側面５２は、ｙ−ｚ平面に対して、−ｙ方向から見て、底面５１との接続部分を中心に、時計回りに回転している。
【００３５】
また、４つの側面５２のうち、底面５１のｘ軸に平行な辺に接続された２つの側面５２も、＋ｚ方向に向けて互いの間隔が広がるように傾斜している。つまり、−ｙ方向の側面５２は、ｚ−ｘ面に対して、−ｙ方向から見て、底面５１との接続部分を中心に、図１の−ｙ方向（手前方向）に回転している。また、＋ｙ方向の側面５２は、ｚ−ｘ面に対して、−ｙ方向から見て、底面５１との接続部分を中心に、＋ｙ方向（奥方向）に回転している。
【００３６】
反射部５の底面５１に対向する＋ｚ方向には、開口部５３が形成されている。拡散板４は、箱形状の反射部５の蓋に相当する。反射部５および拡散板４によって、中空の箱形状が構成される。この中空の箱は、例えば、反射面及び拡散面を有する。
【００３７】
反射部５は、内側に反射面を有する。つまり、底面５１の内側の面および側面５２の内側の面は、反射面である。それら反射面は、例えば、拡散反射面であってもよい。
【００３８】
反射部５は、例えば、ポリエチレンテレフタラートなどの樹脂を基材とした光反射シートまたは基板の表面に金属を蒸着させた光反射シート等である。反射膜は基板上に形成されている。なお、ここで、基板は透明である必要はない。
【００３９】
このように反射部５は、内側に反射面を有する。ただし、反射部５が独立した部材である場合には、反射部５は反射部５材である。また、反射部５は、例えば、液晶表示装置１００の筐体（図示せず）の一部であってもよい。
【００４０】
図２は、実施の形態１における光源７および配光制御素子６の構成を示す図である。図２は、ｚ−ｘ面における断面形状を示す。ただし、後述する光線を見やすくするために、断面部分のハッチングは省略されている。
【００４１】
面光源装置２００は、光源７を保持する保持部を有する。保持部は主面を有し、その主面に光源７を保持する。実施の形態１において、保持部は反射部５であり、主面は底面５１である。反射部５は保持部の一例であり、保持部は、他の一例として、内面に反射部５が設けられた筐体に保持される基板であってもよい。基板は、例えば、ｙ方向に長手を有する実装基板である。その場合、光源７が保持される主面は基板の表面である。配光制御素子６も、その基板の表面に保持される。筐体が、反射部５に沿った箱形状を有し、基板の裏面がその筐体の底面に保持される。反射部５は、その基板の周囲にかつ筐体の内側に沿って配置される。保持部は、以上のような構成であってもよい。
【００４２】
光源７は、反射部５の底面５１に配置されている。光源７は、光を発する発光面を有し、その発光面は＋ｚ方向に位置する面である。発光面の上方は、後述する配光制御素子６の光入射面６１によって覆われている。実施の形態１においては、面光源装置２００は、複数の光源７を有し、各光源７は、ｙ方向に並べて配置されている。
【００４３】
光源７は、実施の形態１において、ＬＥＤである。ただし、光源７は、ＬＥＤに限定されるものではなく、固体光源、有機エレクトロルミネッセンス光源または平面上に塗布された蛍光体に励起光を照射して発光させる光源等であってもよい。
【００４４】
光源７の光軸Ｃｓは、例えば、光源７の発光面の中心に対する法線である。実施の形態１では、光源７の光軸Ｃｓは、後述する配光制御素子６の光軸Ｃと一致している。
【００４５】
光源７は、例えば、柱体形状を有する。「柱体」とは、平行な２つの平面と柱面とで囲まれた筒状の立体のことである。柱面は、柱体の側面にあたる曲面である。柱体は、角柱または円柱などを含む。光源７は、例えば、四角柱形状を有する。または、光源７は、例えば、円柱形状を有する。例えば、光源７の形状が四角柱を有する場合には、柱面は複数の平面からなる。
【００４６】
発光面は、柱体形状の１つの平面に相当する。または、発光面は、柱体形状の柱面に相当してもよい。
【００４７】
柱体形状の２つの平面のうち、少なくとも発光面に相当する面は、曲面であっても良い。また、中心軸を通る平面上での側面の形状は、曲線であってもよい。例えば、柱体形状の中心軸に垂直な平面上での側面の形状は、曲線であってもよい。
【００４８】
光源７は、例えば、錐台形状を有する。「錐台」とは、錐体から、頂点を共有し相似に縮小した錐体を取り除いた立体図形である。光源７は、例えば、角錐台形状を有する。または、光源７は、例えば、円錐台形状を有する。錐台は２枚の平行な底面を有する。台形の２本の底辺と同様に、それぞれの底面は上底または下底と呼ばれる。
【００４９】
少なくとも錐台形状の上底は、曲面であってもよい。また、中心軸を通る平面上での側面の形状は、曲線であってもよい。例えば、錐台形状の中心軸に垂直な平面上での側面の形状は、曲線であってもよい。
【００５０】
光源７は、例えば、ドーム形状を有する。「ドーム形状」とは、アーチ形状の頂部を中心として水平に回転させた形状である。例えば、ドーム形状は、半球形状である。「アーチ形状」とは、中央部が上の方向に突出した曲線形状である。
【００５１】
光源７は、柱体形状、錐台形状またはドーム形状が組み合わされた形状を有してもよい。例えば、光源７は、錐台形状の上底部分にドーム形状を乗せた形状を有してもよい。
【００５２】
配光制御素子６は、光源７から出射された光の配光を変更する光学素子である。「配光」とは、光源７の空間に対する光度分布のことである。つまり、配光とは、光源７から出る光の空間的分布である。また、「光度」とは、発光体の放つ光の強さの程度を示す値である。光度とは、ある方向の微小な立体角内を通る光束を、その微小立体角で割った値である。つまり、「光度」とは、光源７から出射する光の強度に対応する物理量である。
【００５３】
配光制御素子６は、例えば、部分的に集光特性を有し、部分的に発散特性を有するレンズである。ここで、集光特性は、凸レンズの特性である。発散特性は、凹レンズの特性である。
【００５４】
配光制御素子６は、例えば、ｙ方向に延びる棒形状の光学素子である。棒形状の光学素子は、例えば、シリンドリカルレンズである。シリンドリカルレンズは、円筒形状の屈折面（以下、シリンドリカル面という。）を有するレンズである。シリンドリカル面は、第１の方向に曲率を有し、その第１の方向に垂直な方向である第２の方向に曲率を有さない。シリンドリカルレンズは、光を一方向に集光するまたは発散させる。凸形状のシリンドリカルレンズに平行光を入射させると線状に集光する。この集光された線を、焦線という。
【００５５】
実施の形態１において、配光制御素子６は、ｙ方向に延在するシリンドリカル面を有するシリンドリカルレンズである。つまり、第１の方向がｘ方向であり、第２の方向がｙ方向である。光源７は、シリンドリカル面が延在する方向に並べて配置されている。配光制御素子６は、光をｚ−ｘ面上で部分的に集光し、部分的に発散させる。
【００５６】
配光制御素子６は、例えば、アクリル樹脂（ＰＭＭＡ）などの透明材料を含む。
【００５７】
配光制御素子６は、反射部５の底面５１に配置される。配光制御素子６は、光軸Ｃを有し、その光軸Ｃに対し対称な形状を有する。なお、配光制御素子６の光軸Ｃは、曲率を有するシリンドリカル面の断面形状によって定められる。なお、シリンドリカル面の断面は円弧形状に限定されるものではない。実施の形態１において、光軸Ｃは、ｚ−ｘ面における光出射面の形状によって定められる。実施の形態１において、配光制御素子６の光軸Ｃは、ｚ軸に対し平行である。
【００５８】
以下の説明においては、光軸Ｃに対して＋ｘ方向に位置する配光制御素子の要素を説明し、光軸Ｃに対して−ｘ方向に位置するそれらの説明は省略する。
【００５９】
配光制御素子６は、光入射面６１、全反射面６７、導光部６８および第１光出射面６２ａを有する。また、導光部６８は、外面に第２光出射面６２ｂおよび第３光出射面６２ｃを有する。
【００６０】
光入射面６１は、光源７から出射される光が入射する面である。光入射面６１は、ｚ−ｘ面における断面において、凹形状を有する。光源７は、凹形状を有する光入射面６１と反射部５の底面５１とによって形成される空間である凹部に配置されている。つまり、配光制御素子６は、凹形状を有する光入射面６１が光源７を覆うように配置されている。実施の形態１では、配光制御素子６は、光源７を＋ｚ方向から覆っている。
【００６１】
光入射面６１の凹形状は、実施の形態１において、矩形である。その矩形は、ｚ軸に対して垂直な第１光入射面６１ａおよびｘ軸に対して垂直な第２光入射面６１ｂを含む。
【００６２】
実施の形態１における配光制御素子６はシリンドリカルレンズであるため、光入射面６１はｙ方向に延在する。光入射面６１の凹形状は、ｙ方向に延在する溝形状を有する。
【００６３】
なお、光入射面６１の凹形状は、矩形に限定されるものではない。光入射面６１の凹形状は、台形など、各辺の長さが異なった形状であってもよい。また、光入射面６１の凹形状は、二等辺三角形であってもよい。凹形状が二等辺三角形である場合、光入射面６１は二等辺三角形の等辺に対応する。光入射面６１は、平面に限定されるものではない。光入射面６１は、ｚ−ｘ面における断面において曲線を有する曲面であってもよい。
【００６４】
全反射面６７は、光入射面６１から入射する光の一部が全反射する面である。全反射面６７は、配光制御素子６を構成する外面のうち、配光制御素子６の上方に位置する面である。全反射面６７は、配光制御素子６の＋ｚ方向に位置する面である。全反射面６７は、傾きが緩やかに変化する凸面を有する。実施の形態１においては、全反射面６７は、光軸Ｃから離れるにつれて底面５１との距離が離れ、かつ、光軸Ｃに近づくにつれて傾きが大きくなる凸面を有する。全反射面６７は、光軸Ｃと交わるように設けられてもよい。
【００６５】
全反射面６７は、ｚ−ｘ面において、光源７の中央部から出射され、光入射面６１で屈折し全反射面６７に入射する光の入射角が、全反射条件を満たす面で構成されている。すなわち、全反射条件以外の角度で入射する光に対しては、全反射は生じない。全反射条件を満たさない光の一部は、屈折して透過し、その他の一部は反射する。
【００６６】
実施の形態１における配光制御素子６はシリンドリカルレンズであるため、全反射面６７はｙ方向に延在する。全反射面６７は、シリンドリカル面を含み、そのシリンドリカル面は、ｘ方向に曲率を有し、ｙ方向には曲率を有していない。
【００６７】
第１光出射面６２ａは、全反射面６７にて全反射する光の一部が到達し、その光が配光制御素子６の外部に出射する面である。第１光出射面６２ａは、配光制御素子６の側方つまりｘ方向に位置する面である。実施の形態１において、第１光出射面６２ａは、全反射面６７の一端６７１と後述する導光部６８の基端６８１とを接続する平面である。光軸Ｃから導光部６８の基端６８１までの距離と、光軸Ｃから全反射面６７の一端６７１までの距離は等しい。ただし、導光部６８の基端６８１が全反射面６７の一端６７１よりも光軸Ｃの近くに位置していてもよい。第１光出射面６２ａは、光軸Ｃに対して垂直である必要はない。また、第１光出射面６２ａは、曲面であってもよい。ｚ−ｘ面において、第１光出射面６２ａと全反射面６７とがなす突出形状が斜め上方（＋ｘ方向かつ＋ｚ方向）に向いていてもよい。第１光出射面６２ａは、ｘ方向に曲率を有し、ｙ方向に曲率を有さないシリンドリカル面を含んでもよい。
【００６８】
導光部６８は、光軸Ｃから離れる方向に突出する形状を有する。導光部６８は、ｘ方向に突出する形状を有する。導光部６８の先端６８２は、全反射面６７の一端６７１よりも光軸Ｃから離れている。また、導光部６８は、光軸Ｃに対して遠い方に位置する全反射面６７の一端６７１よりも反射部５の底面５１側に位置する。導光部６８は、全反射面６７にて全反射する光を光軸Ｃから離れる方向に導光する機能を有する。
【００６９】
第２光出射面６２ｂは、全反射面６７にて全反射する光の一部が到達する面である。また、第２光出射面６２ｂは、導光部６８を伝播する光の一部が、配光制御素子６の外部に出射する面でもある。第２光出射面６２ｂは、導光部６８の外面のうち、上面つまり＋ｚ方向の面である。第２光出射面６２ｂは、導光部６８の基端６８１において、第１光出射面６２ａに接続している。第２光出射面６２ｂは、導光部６８の基端６８１から先端６８２の方向に延在する面である。第２光出射面６２ｂは、光軸Ｃから離れる方向に延在している。第２光出射面６２ｂは、平面であってもよいし、曲面であってもよい。例えば、第２光出射面６２ｂは、凸面形状を有する。実施の形態１において、第２光出射面６２ｂは、平面形状を有する。
【００７０】
第３光出射面６２ｃは、全反射面６７にて反射し、導光部６８を伝播した光の一部が到達し、その光が配光制御素子６の外部に出射する面である。第３光出射面６２ｃは、導光部６８の外面のうち、導光部６８の先端６８２を含む面である。第３光出射面６２ｃは、導光部６８の先端６８２において、第２光出射面６２ｂに接続している。第３光出射面６２ｃは、光軸Ｃに対し平行に延在している。第３光出射面６２ｃは、平面であってもよいし、曲面であってもよい。例えば、第３光出射面６２ｃは、凸面形状を有する。実施の形態１において、第３光出射面６２ｃは、平面形状を有する。ただし、第３光出射面６２ｃは、光軸Ｃに対して垂直である必要はない。第３光出射面６２ｃは、例えば、光軸Ｃに近づく方向、あるいは離れる方向に傾斜を有してもよい。
【００７１】
（光線の挙動）
図２には、配光制御素子６を透過する光線の挙動が示されている。配光制御素子６および光源７の各要素は、配光制御素子６の光軸Ｃに対して対称に位置する。以下の説明においては、光軸Ｃに対して−ｘ方向における光線の挙動を説明し、光軸Ｃに対し＋ｘ方向のそれらの説明は省略する。
【００７２】
図２に示される光線Ｌ１および光線Ｌ２は、光源７から出射される光線のうち、発光面の中央部に位置する発光点７ａから第１光入射面６１ａの方向に出射される光線である。光線Ｌ２は、発光点７ａから導光部６８の方向に出射される光線である。
【００７３】
光源７から出射された光線Ｌ１は、第１光入射面６１ａに達する。
【００７４】
光線Ｌ１は、第１光入射面６１ａにて屈折する。スネルの法則により、光線Ｌ１の屈折角は、光線の入射角よりも大きくなる。光線Ｌ１は、＋ｘ方向に屈折して、配光制御素子６の内部へ入射する。
【００７５】
光線Ｌ１は配光制御素子６の内部を進行した後に、全反射面６７に達する。
【００７６】
フレネルの式により、光線は屈折率の異なる物質の界面に入射すると、一部の光線は界面で反射される。また、他の一部の光線は界面で屈折して透過する。光線が界面に入射する角度が大きくなるほど、界面で反射する光線の比率は増える。さらに、ある角度以上で界面に入射した光線は透過せずに、すべて反射する。全て反射される条件を全反射条件という。
【００７７】
光線Ｌ１は、全反射条件を満たし、全反射面６７で全反射される。光線Ｌ１は光軸Ｃに対する角度が大きくなる方向に全反射する。
【００７８】
全反射された後、配光制御素子６の内部を進行する光線Ｌ１は、第１光出射面６２ａに達する。光線Ｌ１は、第１光出射面６２ａにて＋ｚ方向に屈折して、配光制御素子６の外部へ出射する。
【００７９】
このように、光線Ｌ１は、全反射面６７により反射されることで、光軸Ｃに対して垂直方向に近い角度で光出射面６２に到達する。これにより、光源７から＋ｚ方向に存在する面で屈折して拡散板４に到達する光線よりも、より開口部５３の外周の方向に光線が進行する。そのため、照射範囲が広くなる。
【００８０】
光源７から出射された光線Ｌ２は、第２光入射面６１ｂに達する。
【００８１】
光線Ｌ２は、第２光入射面６１ｂにて、−ｚ方向に屈折し、配光制御素子６の内部へ入射する。
【００８２】
光線Ｌ２は、配光制御素子６の内部を進行した後、導光部６８に達する。光線Ｌ２は、導光部６８の内部で全反射しながら、導光部６８の基端６８１から先端６８２に向けて伝播する。図２において、光線Ｌ２は、−ｘ方向に進行する。
【００８３】
導光部６８の内部を伝播する光線Ｌ２は、導光部６８の外面にて、入射角と同等の反射角で反射する（反射の法則）。入射角と反射角とは、それぞれの光線の進行方向と境界面の垂線との間の角度として定義される。
【００８４】
導光部６８の内部を進行した光線Ｌ２は、第３光出射面６２ｃに達する。光線Ｌ２は、第３光出射面６２ｃにて、＋ｚ方向に屈折して出射する。第３光出射面６２ｃに対する光線Ｌ２の入射角度によっては、光線Ｌ２は−ｚ方向に屈折して、配光制御素子６の外部へ出射する。
【００８５】
図３は、配光制御素子６を透過する光線の挙動を示す図である。
【００８６】
図３に示される光線Ｌ３および光線Ｌ４は、光源７から出射される光線のうち、発光面の端部に位置する発光点７ｂから第１光入射面６１ａの方向に出射される光線である。光線Ｌ３および光線Ｌ４は、光線Ｌ１とは異なる入射角度で第１光出射面６２ａに入射している。
【００８７】
発光点７ｂから出射された光線Ｌ３は、全反射面６７によって−ｚ方向に反射される。
【００８８】
光線Ｌ３は、全反射面６７において、入射角と同等の反射角で反射する。入射角と反射角とは、それぞれの光線の進行方向と境界面の垂線との間の角度として定義される。
【００８９】
光線Ｌ３は、全反射面６７にて反射した後、配光制御素子６の内部を進行し第１光出射面６２ａに達する。
【００９０】
光線Ｌ３は、第１光出射面６２ａにて、−ｚ方向に屈折して、配光制御素子６の外部へ出射する。
【００９１】
第１光出射面６２ａにて屈折した光線Ｌ３が、導光部６８の第２光出射面６２ｂに小さな入射角度で入射した場合、その光線Ｌ３の一部は、＋ｚ方向に反射する。
【００９２】
光線Ｌ４は、全反射面６７によって−ｚ方向に反射された後、配光制御素子６の内部を進行し導光部６８に達する。
【００９３】
小さな入射角度で導光部６８に入射する光線Ｌ４は、全反射しながら導光部６８を−ｘ方向に進行する。
【００９４】
光線Ｌ４は、第３光出射面６２ｃに達し、＋ｚ方向に屈折して、配光制御素子６の外部へ出射する。なお、光線Ｌ４のうち、全反射条件を満たさない光線（図示せず）は、第２光出射面６２ｂから配光制御素子６の外部へ出射する。
【００９５】
図４は、配光制御素子６を透過する光線の挙動を示す図である。
【００９６】
図４に示される光線Ｌ５は、光源７から出射される光線のうち、発光面の端部に位置する発光点７ｂから第１光入射面６１ａの方向に出射される光線である。光線Ｌ５は、光軸Ｃに近い位置において、小さな入射角で全反射面６７に入射し、全反射面６７を透過する光線である。すなわち、光線Ｌ５は、全反射面６７において、全反射条件を満たさない光線である。
【００９７】
発光点７ｂから出射された光線Ｌ５は、全反射面６７に、全反射角よりも小さい角度で入射する。光線Ｌ５は、全反射面６７にて、−ｘ方向に屈折して、配光制御素子６の外部へ出射する。出射した光は、＋ｚ方向に進行する。
【００９８】
光線Ｌ５は、全反射面６７の上方の開口部５３に到達する。光線Ｌ５は、配光制御素子６の上方の光量の減少を防ぐ。
【００９９】
第１光出射面６２ａから出射する光線Ｌ１および光線Ｌ３、ならびに、第３光出射面６２ｃから出射する光線Ｌ２および光線Ｌ４は、開口部５３の周辺の領域に到達する。
【０１００】
第１光出射面６２ａまたは第３光出射面６２ｃのいずれかの面から出射する光線Ｌ１から光線Ｌ４の一部は、場合によっては、−ｚ方向に広がって進む。−ｚ方向に進行した各光線は、反射部５の底面５１または側面５２で反射される。底面５１または側面５２で反射された各光線は、＋ｚ方向に進行し、拡散板４（開口部５３）の周辺の領域に到達する。
【０１０１】
光源７から出射された光線は、光入射面６１での屈折、全反射面６７での反射、第２光出射面６２ｂでの反射または各光出射面６２での屈折を介して、面光源装置２００が面状の光を照射する方向に進む。実施の形態１では、面光源装置２００が面状の光を照射する方向は、開口部５３の方向である。面光源装置２００が面状の光を照射する方向は、＋ｚ方向である。開口部５３は、面光源装置２００の光出射面である。
【０１０２】
配光制御素子６から出射された光線は、拡散板４に到達する。拡散板４に達した光線は、拡散されて、面光源装置２００から出射される。実施の形態１では、拡散板４は、面光源装置２００の光出射面である。
【０１０３】
配光制御素子６は、光源７の配光を、面光源装置２００の光出射面上での輝度分布に変更する機能を有する。
【０１０４】
光入射面６１の面形状、頂点部６３の曲率、全反射面６７の曲面の形状、各光出射面６２の傾斜角度や形状などを調整することにより、配光制御素子６は、配光制御素子６から出射される光線の広がりを制御できる。
【０１０５】
拡散板４に到達した光線の一部は、反射して、反射部５の内部を進行する。反射部５の内部を進行した光線は、反射部５の底面５１又は側面５２で反射されて、再び拡散板４に到達する。
【０１０６】
拡散板４によって、拡散板４を透過する光は拡散される。そして、拡散板４を透過した光は、均一性を増した面状の照明光となる。
【０１０７】
拡散板４を透過した光は、液晶パネル１の裏面１ｂに向けて放射される。この照明光は、光学シート３および光学シート２を透過して、液晶パネル１の裏面１ｂに照射される。裏面１ｂは、液晶パネル１の−ｚ方向の面である。
【０１０８】
実施の形態１においては、配光制御素子６は、一例として、棒形状の光学素子が示された。しかし、配光制御素子６は、棒形状の光学素子に限定されるものではない。１つの光源７に１つの配光制御素子が取り付けられても同様の効果が得られる。配光制御素子は、光軸Ｃに対して回転対称の形状等であっても構わない。その場合、配光制御素子は、光軸Ｃに対して対称な回転体の形状を有する。回転体は、平面曲線をこの平面内の直線を回転の軸として回転させることにより得られる立体図形である。
【０１０９】
この場合には、配光制御素子の光入射面は、円錐形状または円錐台形状などを有する。なお、光入射面がなす頂点部は、曲面形状又は平面形状等を取り得る。
【０１１０】
配光制御素子６が棒形状を有する場合には、以下の利点を有する。例えば、棒形状を有する配光制御素子６は、押出し成形によって製造することができる。
【０１１１】
また、通常、直下型の面光源装置２００では、１つの光源７に１つのレンズが装着されている。一方で、配光制御素子６が棒状の形状を有する場合、１列に並べられた複数の光源７に対して、１つの配光制御素子６が配置される。
【０１１２】
そのため、配光制御素子の部品点数を減らすことができる。また、個々の光源７にレンズが装着される構成にあっては、光源７が配置された基板上に、個々の配光制御素子を取り付ける必要がある。しかし、実施の形態１の配光制御素子６は、１列に並べられた複数の光源７に対して、１つの配光制御素子６を取り付ける。そのため、配光制御素子６の取り付け作業が容易になる。
【０１１３】
また、例えば、複数のレンズを１つの光学素子で構成するレンズアレイの様に、光源７に対してｘ−ｙ平面において位置決めが必要な光学素子の採用が考えられる。しかし、光源７の数の増減によって、光学素子の金型を変更する必要がある。このため、面光源装置２００の仕様の変更に対する汎用性が低い。
【０１１４】
実施の形態１における配光制御素子は、光源７の数の増減に対して、配光制御素子６の金型の変更は不要である。そのため、配光制御素子６は、面光源装置２００の仕様の変更に対する汎用性が高い。光源７の数を変えるだけで、面光源装置２００の輝度を調整できる。このため、最適な光源７の数を配置することができる。
【０１１５】
また、配光制御素子６を押出し成形で製造した場合には、その長さは自由に変えられる。このため、例えば、液晶表示装置１００の大きさが異なる場合でも、同じ金型で対応できる。
【０１１６】
以上より、実施の形態１の面光源装置２００は、一部の領域に光源７を配置しても、配光制御素子から出射される光線の進行方向を、面光源装置２００の光出射面（拡散板４）に向けて変更できる。つまり、光線の進行方向は、配光制御素子６によって、開口部５３（面光源装置２００の光出射面）の方向に変更される。このため、面光源装置２００は、均一性を増した面状光源を実現できる。
【０１１７】
また、光源７の数を減らすために、光源７を一列に並べて配置する構成が考えられる。例えば、複数の光源７は、表示面１ａ側から見て、例えば、面光源装置２００の短辺方向（ｘ方向）の中央の部分に、長辺方向（ｙ方向）に沿って配置される。棒形状の配光制御素子６を用いることで、簡易な構成によって光源７の配光を面光源装置２００の光出射面（拡散板４）に向けることができる。
【０１１８】
なお、実施の形態１における配光制御素子６は、一例として、透明材料からなる光学素子が示された。しかし、配光制御素子は、例えば、拡散材を含むこともできる。光線が拡散材に入射すると、光線は散乱されて、進行方向を変える。そのため、配光制御素子の内部を進む光線は、ランダムな方向に進行方向が変更される。そして、進行方向を変更された光線は、配光制御素子の光出射面に達する。このため、配光制御素子から出射された光によって、広い範囲に照射することができる。
【０１１９】
また、透明な材料を用いて、配光制御素子６の光入射面６１、各光出射面６２又は全反射面６７に凹凸形状を形成することができる。例えば、光入射面６１、各光出射面６２又は全反射面６７に微小な凹凸形状を付けてもよい。
【０１２０】
光入射面６１、各光出射面６２又は全反射面６７に設けられた凹凸形状によって、光線の進行方向はランダムに変わる。このため、配光制御素子６から出射された光によって、広い範囲を照明することができる。
【０１２１】
これらのように、光を拡散することで、光の進む方向がランダムとなる。このため、明線を和らげることができる。「明線」とは、面光源装置２００の光出射面上に、線状にできる輝度の高い領域のことである。
【０１２２】
また、複数の光源７を並べて配置すると面光源装置２００の光出射面上で輝度ムラが発生する場合がある。この場合でも、光を拡散することで、輝度ムラを緩和することができる。つまり、明るい部分と暗い部分との差を緩和することができる。
【０１２３】
また、凹凸形状を光入射面６１、各光出射面６２および全反射面６７の全域において施す必要はない。例えば、光入射面６１のみに凹凸形状を付けることができる。また、例えば、光出射面の一部の領域のみに凹凸形状を付けることができる。また、例えば、全反射面６７の一部の領域のみに凹凸形状を付けることができる。つまり、凹凸形状は、光入射面６１、光出射面又は全反射面６７の一部の領域であってもよい。
【０１２４】
また、凹凸形状は、全ての領域において同一の粗さにする必要はない。例えば、光入射面６１の凹凸形状を、光出射面又は全反射面６７の凹凸形状よりも小さくすることができる。
【０１２５】
ただし、拡散材又は凹凸形状による光の拡散の程度は、光入射面６１による光線の屈折の程度、光出射面による光線の屈折の程度又は全反射面６７での光線の反射の程度に比べて小さいことが好ましい。なぜなら、配光制御素子から出射される光の配光において、拡散材又は凹凸形状による影響が支配的となり、設計によって配光を調整することが難しくなるからである。
【０１２６】
光の配光は、配光制御素子の形状による屈折または反射によって、面光源装置２００の光出射面（拡散板４）に向けられる。このため、光の拡散の要因が増すと、光源７の近くのみが明るくなり、光源７から離れるにつれて暗くなる可能性がある。
【０１２７】
（効果）
以上をまとめると、実施の形態１における面光源装置２００は、主面を有する保持部として底面５１を有する反射部５と、反射部５の底面５１に保持される少なくとも１つの光源７と、光軸Ｃを有し、反射部５の底面５１に保持されて配置され、少なくとも１つの光源７から出射される光の配光を変更する配光制御素子６と、を含む。配光制御素子６は、少なくとも１つの光源７から出射される光が入射する光入射面６１と、光入射面６１から入射する光の一部が全反射する全反射面６７と、全反射面６７にて全反射する光の一部を光軸Ｃから離れる方向に導光する導光部６８と、全反射面６７にて全反射する光の一部が到達する光出射面として第１光出射面６２ａと、を含む。全反射面６７は、光入射面６１よりも反射部５の底面５１から離れて位置する凸面であって、光軸Ｃから離れるにつれて底面５１との距離が離れ、かつ、光軸Ｃに近づくにつれて傾きが大きくなる凸面を含む。導光部６８は、光軸Ｃに対して遠い方に位置する全反射面６７の一端６７１よりも底面５１側に位置し、かつ、光軸Ｃから離れる方向に突出する形状を含む。第１光出射面６２ａは、全反射面６７の一端６７１と導光部６８の基端６８１とを接続する面である。
【０１２８】
以上の構成により、面光源装置２００は、光源７の設置個数を増加させることなく、均一性が向上した面状の光を液晶パネル１に照射することができる。
【０１２９】
配光制御素子１つあたりの照射範囲が向上し、かつ、高輝度化に必要な多数の光源７を配置可能な構造が実現される。これにより面光源装置の薄型化、高輝度化かつ軽量化が実現される。
【０１３０】
また、光源７が発光面を有する場合であっても、配光制御素子がその発光面に対し十分に大きい場合、発光面は点光源とみなすことができる。しかし、面光源装置の薄型化に伴い、配光制御素子のサイズは小型化している。そのため、光源７の発光面が点光源としてみなせない場合が生じる。配光制御素子の光学設計は、点光源に対して設計されるため、発光面から出射される光が配光制御素子に入射した場合、意図しない角度で入射する光が迷光となり、照射面の均一性に影響を及ぼす。特に、配光制御素子の周辺において生じる迷光による照射面の均一性の乱れを抑えることは難しい。そのため、この迷光も、面光源装置の照明光として利用して、光の均一性の向上を図ることが好ましい。実施の形態１における面光源装置は、光源７の大きさが配光制御素子６の大きさに対して大きく、光源７を点光源としてみなせない場合であっても、照射面の輝度均一性を向上させることができる。
【０１３１】
また、面光源装置２００は、均一性の高い輝度分布の面状の光を発する。このため、液晶表示装置１００のバックライト以外においても利用できる。例えば、面光源装置２００は、部屋の照明等で用いられる照明装置としても利用できる。また、面光源装置２００は、例えば、写真などを裏面側から照明する公告表示装置などにも利用できる。
【０１３２】
実施の形態１における面光源装置２００の配光制御素子６は、光入射面６１が少なくとも１つの光源７を覆うように反射部５の底面５１に配置される。光入射面６１は、少なくとも１つの光源７が配置された底面５１との間に空間が形成されるよう、断面視において、凹形状を有する。
【０１３３】
実施の形態１における面光源装置２００の光入射面６１の凹形状は、矩形である。
【０１３４】
実施の形態１における面光源装置２００の全反射面６７は、第１の方向（ｘ方向）に曲率を有し、第１の方向（ｘ方向）に対して垂直である第２の方向（ｙ方向）に曲率を有さないシリンドリカル面を含む。
【０１３５】
以上の構成により、面光源装置２００は、光源７の個数よりも少ない個数の配光制御素子６によって光源７から出射される光の配光を変更することができる。
【０１３６】
実施の形態１における面光源装置２００の第１光出射面６２ａは、第１の方向（ｘ方向）に曲率を有し、第１の方向（ｘ方向）に対して垂直である第２の方向（ｙ方向）に曲率を有さないシリンドリカル面を含む。光入射面６１の凹形状は、第２の方向（ｙ方向）に延在する溝形状を含む。
【０１３７】
以上の構成により、面光源装置２００は、光源７の個数よりも少ない個数の配光制御素子６によって光源７から出射される光の配光を変更することができる。
【０１３８】
実施の形態１における面光源装置２００の少なくとも１つの光源７は、複数の光源７を含む。複数の光源７の各々は、第２の方向（ｙ方向）に並べて配置される。
【０１３９】
以上の構成により、面光源装置２００は、光源７の個数よりも少ない個数の配光制御素子６によって光源７から出射される光の配光を変更することができる。
【０１４０】
実施の形態１における面光源装置２００の配光制御素子６は、光入射面６１、全反射面６７、導光部６８の外面または第１光出射面６２ａに、凹凸形状を含む。
【０１４１】
以上の構成により、面光源装置２００から出射される面状の光の均一性が向上する。
【０１４２】
実施の形態１における面光源装置２００の配光制御素子６は、拡散材を含む。
【０１４３】
以上の構成により、面光源装置２００から出射される面状の光の均一性が向上する。
【０１４４】
以上をまとめると、実施の形態１における液晶表示装置１００は、面光源装置２００と、面光源装置２００から出射された面状の光を画像光に変換する液晶パネル１と、を含む。
【０１４５】
以上の構成により、液晶表示装置１００が表示する画像の画質が向上する。
【０１４６】
＜実施の形態２＞
実施の形態２における面光源装置および液晶表示装置を説明する。なお、実施の形態１と同様の構成および動作については説明を省略する。
【０１４７】
図５は、実施の形態２における面光源装置が有する配光制御素子６Ａの構成を示す図である。
【０１４８】
配光制御素子６Ａは、第１配光制御素子本体６５と第２配光制御素子本体６４とを含む多層構造を有する。第１配光制御素子本体６５は、第２配光制御素子本体６４の−ｚ方向に位置する。第２配光制御素子本体６４は、第１配光制御素子本体６５を覆って設けられる。
【０１４９】
第１配光制御素子本体６５は、透明材料からなる。
【０１５０】
第２配光制御素子本体６４は、第１配光制御素子本体６５とは異なる屈折率を有する透明材料を含む。すなわち、配光制御素子６Ａは、それぞれが異なる屈折率を有する複数の材料を含む。または、第２配光制御素子本体６４は、第１配光制御素子本体６５が透明材料で構成されるのに対して、拡散材を含んでもよい。
【０１５１】
配光制御素子６Ａの全反射面６７は、第２配光制御素子本体６４に形成されている。光入射面６１は、第１配光制御素子本体６５に形成されている。
【０１５２】
光入射面６１から入射した光の一部は、第１配光制御素子本体６５を透過する。その後、光は、第２配光制御素子本体６４の全反射面６７にて反射し、各光出射面６２に到達する。
【０１５３】
または、第１配光制御素子本体６５を透過した光は、第２配光制御素子本体６４を透過して、＋ｚ方向に進行する。
【０１５４】
配光制御素子６Ａのように配光制御素子を構成する材料の一部を変えることにより、配光を制御することができる。
【０１５５】
また、配光制御素子６Ａを押出し成形によって作製する場合には、複数の材料を用いて一体に成形することができる。
【０１５６】
なお、配光制御素子６Ａは、図５に示される多層構造に限定されるものではない。所定の配光に応じて、各面の一部分にのみ第２配光制御素子本体６４が配置されてもよい。第２配光制御素子本体６４が含む材料の種類または濃度などは、配置される場所によって、変化させてもよい。任意の位置に、任意の材料を配置することができる。
【０１５７】
＜実施の形態３＞
実施の形態３における面光源装置および液晶表示装置を説明する。なお、実施の形態１または２と同様の構成および動作については説明を省略する。
【０１５８】
図６は、実施の形態３における面光源装置が有する配光制御素子６の周辺の構成を示す図である。
【０１５９】
面光源装置は、光拡散素子６６を有する。光拡散素子６６は、実施の形態１に示された配光制御素子６の全反射面６７の上方に配置される。光拡散素子６６は、光軸Ｃを含む領域に配置されている。光拡散素子６６は、シート形状を有する。
【０１６０】
配光制御素子６の光軸Ｃ上を進行する光線は、光入射面６１および全反射面６７で屈折せずに直進することがある。その直進する光線の位置に応じて、表示面１ａ上に明線が現れる。光拡散素子６６が光軸Ｃ上に配置されることで、その明線が緩和され、輝度の均一性が向上する。
【０１６１】
また、面光源装置が、光拡散素子６６に代えて、光軸Ｃと交わる全反射面６７に凹凸面が形成された配光制御素子６を有する場合であっても、上記と同様の効果を奏する。例えば、ｚ−ｘ面においては凹凸形状を有し、ｙ方向にはその凹凸形状が延在する溝を有する配光制御素子６は、押出し成形によって作製することができる。
【０１６２】
＜実施の形態４＞
実施の形態４における面光源装置および液晶表示装置を説明する。なお、実施の形態１から３のいずれかと同様の構成および動作については説明を省略する。
【０１６３】
面光源装置は、光反射素子（図示せず）を有する。光反射素子は、実施の形態１に示された配光制御素子６の全反射面６７の上方に配置される。光反射素子は、光軸Ｃを含む領域に配置される。例えば、図６に示される光拡散素子６６を光反射素子に変更することができる。
【０１６４】
光源７の数が少ない場合、隣接する光源７の間の領域が暗い部分として目立つ場合がある。全反射面６７の光軸Ｃ上に配置された光反射素子は、光を−ｚ方向に反射させることにより、そのような暗い部分を改善する。光反射素子は、光を拡散反射する機能を有していてもよい。
【０１６５】
また、光反射素子は、各光源７の＋ｚ方向の位置に配置されてもよい。光反射素子で反射された光は、ｙ方向に進行する。光反射素子で反射された光は、配光制御素子６の取り付けられた反射部５の底面５１で反射する。そして、光反射素子で反射された光は、隣接する光反射素子の間の全反射面６７の領域から出射される。
【０１６６】
光反射素子による光の反射によって、光はｙ方向に広がる。これによって、隣接する光源７の間にも光が広がるため、暗い部分が目立たなくなる。
【０１６７】
なお、本発明は、その発明の範囲内において、各実施の形態を自由に組み合わせたり、各実施の形態を適宜、変形、省略したりすることが可能である。
【０１６８】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１６９】
１  液晶パネル、５  反射部、５１  底面、６  配光制御素子、６１  光入射面、６２ａ  第１光出射面、６７  全反射面、６７１  全反射面の一端、６８  導光部、６８１  導光部の基端、７  光源、１００  液晶表示装置、２００  面光源装置、Ｃ  光軸。
【図１】
2019169420.tif 000003
【図２】
2019169420.tif 000004
【図３】
2019169420.tif 000005
【図４】
2019169420.tif 000006
【図５】
2019169420.tif 000007
【図６】
2019169420.tif 000008